(57)【要約】【課題】高級感のある記念品として複数の人に贈ることができる衣服用ハンガー、又は、個人の記念として愛用することができる衣服用ハンガーを提供することにある。【解決手段】左右の両肩部１２を備えるハンガー本体１３とハンガー本体１３の中央上部に設けられるフック１４を備える衣服用ハンガー１０であって、アクリルなどの透明樹脂からなる封入部１５を設け、封入部１５に具体的な記念物品１６を封入する。また、封入部１５には、レーザー彫刻などの方法によって記念の銘文を形成する。【選択図】図１
0003188551.tif 000002
【実用新案登録請求の範囲】
【請求項１】
左右の両肩部を備えるハンガー本体と、該ハンガー本体の中央上部に設けられるフックを備える衣服用ハンガーであって、
透明樹脂からなる封入部を備えるとともに、前記封入部に具体的な記念物品が封入されていることを特徴とする衣服用ハンガー。
【請求項２】
前記封入部が、レーザー彫刻により形成された銘文を備えていることを特徴とする請求項１に記載の衣服用ハンガー。
【請求項３】
前記ハンガー本体が樹脂製であり、前記ハンガー本体の中央下部に前記封入部が接着されていることを特徴とする請求項１又は２に記載の衣服用ハンガー。
【請求項４】
前記ハンガー本体が樹脂製であり、前記ハンガー本体の中央に開口が形成され、該開口に前記封入部が嵌め込まれていることを特徴とする請求項１又は２に記載の衣服用ハンガー。
【請求項５】
前記ハンガー本体と前記封入部が、同一樹脂で一体に形成されていることを特徴とする請求項１又は２に記載の衣服用ハンガー。
【請求項６】
前記ハンガー本体の前記両肩部が木製又は樹脂製であり、前記封入部が、前記ハンガー本体の中央部を兼ねて形成されていることを特徴とする請求項１又は２に記載の衣服用ハンガー。
【考案の詳細な説明】
【技術分野】
【０００１】
本考案は、衣服用ハンガーに関し、特に、高級感のある記念品として用いることができる衣服用ハンガーに関する。
【背景技術】
【０００２】
卒業生などに贈る記念品として衣服用ハンガーが用いられることがある。例えば、木製のハンガーの表面に校章を記載するとともに「○○市立○○小学校」「第○○回卒業」などの銘文を記載して卒業生に贈っている。ハンガーは、日常的に使用するので、そのたびに母校を思い出すことになる。また、品質の良い製品とすることによって、長期間に亘って実用することになり、優れた記念品となり得る。
【０００３】
一般的な記念品としては、置時計や洒落た置物のように、少し高級な商品が使用されることがある。例えば、法人においては、社屋の落成を記念として社員に贈る記念品や永年勤続表彰として社員に贈る記念品などである。また、長い年月を費やした工事の完成記念として、工事に携わった人々に贈る記念品などもある。また、個人の場合には、各個人の誕生日記念としてへその緒を小箱に入れて保管することや、旅先で購入した記念品を部屋に飾ることなどが行われている。
【０００４】
このような場合に、時計や置物などの記念品に替えて、ハンガーを記念品にすることを考えると、受け取る人が記念品の価値を実感するような、少し高級感のあるハンガーとする必要がある。また、後々までもその時のことを思い出すように具体的な記念物品を備えることが好ましい。記念物品としては、例えば、会社の社章や学校の校章を備えるバッチなどが考えられる。
【０００５】
また、トンネル貫通石も具体的な記念物品の一つであり、特許文献１には、これを利用した携帯電話ストラップの考案が記載されている。この携帯電話ストラップは、小さく砕いたトンネル貫通石の周りをアクリル樹脂で固め、これにストラップを取り付けたものである。貫通石は、古くから安産や受験合格などのお守りとして珍重されている。しかし、大きなものを部屋に飾れば次第に埃をかぶって邪魔になり、小さなものを財布の中にいれても嵩張って不便であるために、結局は押し入れや机の引き出しに片付けられていることが多い。携帯電話ストラップとして使用すれば、お洒落なアクセサリーとして使用することができる。
【先行技術文献】
【特許文献】
【０００６】
【特許文献１】実用新案登録第３１４７４６４号公報
【考案の概要】
【考案が解決しようとする課題】
【０００７】
本考案の目的は、日常的に使用することができる衣服用ハンガーであって、高級感のある記念品として複数の人に贈ることができる衣服用ハンガーを提供することにある。また、個人の誕生記念や旅行の記念などとして個人的に愛用することができる衣服用ハンガーを提供することにある。
【課題を解決するための手段】
【０００８】
本考案の請求項１に係る衣服用ハンガーは、左右の両肩部を備えるハンガー本体と、該ハンガー本体の中央上部に設けられるフックを備える衣服用ハンガーであって、透明樹脂からなる封入部を備えるとともに、前記封入部に具体的な記念物品が封入されている手段を採用している。
また、本考案の請求項２に係る衣服用ハンガーは、請求項１に記載の衣服用ハンガーであって、前記封入部が、レーザー彫刻により形成された銘文を備えている手段を採用している。
【０００９】
また、本考案の請求項３に係る衣服用ハンガーは、請求項１又は２に記載の衣服用ハンガーであって、前記ハンガー本体が樹脂製であり、前記ハンガー本体の中央下部に前記封入部が接着されている手段を採用している。
また、本考案の請求項４に係る衣服用ハンガーは、請求項１又は２に記載の衣服用ハンガーであって、前記ハンガー本体が樹脂製であり、前記ハンガー本体の中央に開口が形成され、該開口に前記封入部が嵌め込まれている手段を採用している。
また、本考案の請求項５に係る衣服用ハンガーは、請求項１又は２に記載の衣服用ハンガーであって、前記ハンガー本体と前記封入部が、同一樹脂で一体に形成されている手段を採用している。
また、本考案の請求項６に係る衣服用ハンガーは、請求項１又は２に記載の衣服用ハンガーであって、前記ハンガー本体の前記両肩部が木製又は樹脂製であり、前記封入部が、前記ハンガー本体の中央部を兼ねて形成されている手段を採用している。
【考案の効果】
【００１０】
本考案の衣服用ハンガーは、透明樹脂からなる封入部を備え、この封入部には、記念の銘文が記載されるとともに、具体的な記念物品が封入されていることを特徴としている。この封入部は、表面を研磨することにより、クリスタルのように美しい外観とすることができるので、高級感を与えることができる。そして、学校の卒業記念、会社の落成記念や永年勤続表彰、個人の誕生記念や旅行記念などとして幅広く使用することができる。
【図面の簡単な説明】
【００１１】
【図１】本考案の衣服用ハンガーの一例を示し、（ａ）は概略正面図、（ｂ）は封入部の概略正面図である。
【図２】本考案の衣服用ハンガーの他の一例を示し、（ａ）は概略正面図、（ｂ）は封入部の概略正面図である。
【図３】全体を同一材質で一体に形成した衣服用ハンガーの例を示し、（ａ）は図１の変形であり、（ｂ）は図２の変形である。
【図４】本考案の衣服用ハンガーのまた別の一例を示し、（ａ）は概略正面図、（ｂ）は封入部の概略正面図である。
【図５】図２の衣服用ハンガーの応用例を示しており、（ａ）はバーを備え、（ｂ）はクリップを備えた例である。
【考案を実施するための形態】
【００１２】
図１により、本考案の衣服用ハンガー１０について説明する。
衣服用ハンガー１０は、左右の両肩部１２を含むハンガー本体１３と、ハンガー本体１３の中央上部に設けられる吊り下げ用のフック１４を備えている。そして、透明樹脂からなる封入部１５を備え、封入部１５には具体的な記念物品１６が封入されている。
【００１３】
ハンガー本体１３は、強度のある形状とすれば、如何なる素材でも使用することが可能であり、ここでは樹脂を使用している。また、フック１４に関しても、従来から知られた材質及び構造によって、ハンガー本体１３に取り付けることが可能であり、ハンガー本体１３に対して回転可能であることが好ましい。
【００１４】
封入部１５は、ハンガー本体１３とは別体に形成され、ハンガー本体１３に取り付けられて一体化されている。取り付ける方法は、ネジ止めなどの一般的な方法を採用することができるが、ここでは、樹脂製のハンガー本体１３の中央下部に、樹脂製の封入部１５を接着することにより一体化した例を示している。封入部１５の上部形状を、ハンガー本体１３の下部形状に合致させることによって接着可能としている。また、温度及び圧力を掛けて、継ぎ目の部分を融合させることも可能である。
【００１５】
封入部１５は、封入した記念物品１６がよく見えるように透明樹脂とするが、薄く着色された透明とすることもできる。封入部１５の素材としては、ポリプロピレン樹脂、ポリスチレン樹脂、ポリ塩化ビニル樹脂などの透明樹脂を使用することができるが、アクリル樹脂を用いることが好ましい。アクリル樹脂は、その外表面にバフ研磨処理を施すことによってクリスタルガラスのような光沢のある美しい外観とすることができるので、高級感を持たせることができる。
【００１６】
封入部１５に封入される具体的な記念物品１６とは、思い出を残すことができる具体的な物品であって、例えば、トンネルの貫通石、会社の社章、学校の校章、へその緒、旅の思い出となる物品などが考えられる。封入とは、記念物品１６の全体をアクリル樹脂などによって包み込むことであり、なるべく空気を包み込まないようにすることが好ましい。記念物品１６が金属や鉱物である場合には、封入加工をする際の制限がなく、高い温度や圧力を使用することができる。記念物品１６が動植物である場合でも、常温・常圧に近い条件で時間を掛けて封入すると、劣化や変色を少なくすることが可能であり、自然に近い美しい状態で保存することができる。
【００１７】
図１（ｂ）に示すように、封入部１５には、記念の名目、年月日、提供者などの銘文を記入することが好ましい。銘文の記入は、封入部１５にレーザー彫刻を施すことにより、高級感のある美しい外観とすることができる。また、封入部１５の裏面側に彫刻することにより、記念物品１６がよく見えるようにすることができる。
【００１８】
また、銘文を記入した銘板を別途作成し、この銘板を封入部１５の裏側に接着することによっても、銘文が記入された封入部１５とすることができる。さらに、温度及び圧力を掛けて接着することにより、継ぎ目の部分を融合させて一体化とすることが可能であり、継ぎ目のない封入部１５とすることもできる。
【００１９】
図２により、本考案の衣服用ハンガー２０について説明する。
衣服用ハンガー２０は、左右の両肩部２２を含むハンガー本体２３と、ハンガー本体２３の中央上部に設けられる吊り下げ用のフック２４を備えている。そして、透明樹脂からなる封入部２５を備え、封入部２５には具体的な記念物品２６が封入されている。
【００２０】
衣服用ハンガー２０は、衣服用ハンガー１０と同様に、ハンガー本体２３が樹脂製であり、封入部２５が別途製作されている。ハンガー本体２３の中央には、封入部２５が位置する場所に、封入部２５の外形に合致する開口が設けられ、ここに封入部２５が嵌め込まれている。嵌め込みとともに接着することが好ましく、また、温度及び圧力を掛けて、継ぎ目の部分を融合させることもできる。
なお、ハンガー本体２３、フック２４、封入部２５及び記念物品２６の具体的な態様については、衣服用ハンガー１０と同様である。
【００２１】
図３により、本考案の衣服用ハンガー３０、４０について説明する。
（ａ）の衣服用ハンガー３０は、衣服用ハンガー１０のハンガー本体１３と封入部１５とを同一樹脂で一体に形成したものであり、（ｂ）の衣服用ハンガー４０は、衣服用ハンガー２０のハンガー本体２３と封入部２５とを同一樹脂で一体に形成したものである。全体の素材としては、ポリプロピレン樹脂、ポリスチレン樹脂、ポリ塩化ビニル樹脂などの透明樹脂を使用することができるが、アクリル樹脂を用いることが好ましい。
【００２２】
衣服用ハンガー３０、４０は、衣服用ハンガー１０、２０と同様に、それぞれの封入部３５、４５をハンガー本体３３、４３とは別体に形成した後に、接着などによって一体化することができる。または、最初から、ハンガー本体３３、４３と封入部３５、４５とを一体に形成することもできる。
衣服用ハンガー３０、４０の全体をアクリル樹脂とすることによって、全体の外表面をクリスタルガラスのような光沢のある美しい外観とすることが可能であり、高級感を持たせることができる。
【００２３】
図４により、本考案の衣服用ハンガー５０について説明する。
衣服用ハンガー５０は、左右の両肩部５２を含むハンガー本体５３と、ハンガー本体５３の中央上部に設けられる吊り下げ用のフック５４を備えている。そして、透明樹脂からなる封入部５５を備え、封入部５５には具体的な記念物品５６が封入されている。
【００２４】
衣服用ハンガー５０は、ハンガー本体５３の両肩部５２を木製又は樹脂製としている点で、衣服用ハンガー１０とは異なっている。また、衣服用ハンガー５０は、ハンガー本体５３の中央部に樹脂製の封入部５５を用いている点でも、衣服用ハンガー１０と異なっている。すなわち、封入部５５は、ハンガー本体５３の中央部として形成されている。材質の異なる両肩部５２と封入部５５とは、ネジ止めや接着などの一般的な方法によって一体化することができる。
なお、ハンガー本体５３以外の、フック５４、封入部５５及び記念物品５６の具体的な態様については、衣服用ハンガー１０と同様である。
【００２５】
図５により、本考案の衣服用ハンガー２０のバリエーションとしての、衣服用ハンガー６０、７０について説明する。
衣服用ハンガー６０は、衣服用ハンガー２０のハンガー本体２３と同様に、左右の両肩部６２を含むハンガー本体６３と、ハンガー本体６３の中央上部に設けられる吊り下げ用のフック６４を備えている。そして、透明樹脂からなる封入部６５を備え、封入部６５には具体的な記念物品６６が封入されている。
【００２６】
衣服用ハンガー６０は、ハンガー本体６３の下部に、ズボンを掛けるためのバー６７を備えている。これによって、記念品であるとともに、実用性の高いハンガーとすることができる。
【００２７】
衣服用ハンガー７０は、衣服用ハンガー２０のハンガー本体２３と同様に、左右の両肩部７２を含むハンガー本体７３と、ハンガー本体７３の中央上部に設けられる吊り下げ用のフック７４を備えている。そして、透明樹脂からなる封入部７５を備え、封入部７５には具体的な記念物品７６が封入されている。
【００２８】
衣服用ハンガー７０は、ハンガー本体７３の下部に、バー７７を備えているとともに、バー７７にはスカートなどを吊るすことができるクリップ７８を備えている。このため、記念品であるとともに、実用性の高いハンガーとすることができる。
【符号の説明】
【００２９】
１０：  衣服用ハンガー
１２：  肩部
１３：  ハンガー本体
１４：  フック
１５：  封入部
１６：  記念物品
【図１】
0003188551.tif 000003
【図２】
0003188551.tif 000004
【図３】
0003188551.tif 000005
【図４】
0003188551.tif 000006
【図５】
0003188551.tif 000007